(57)【要約】【課題】外部からの衝撃が加わった時、液晶パネルがフロントカバーから脱落しにくくした表示装置を提供する。【解決手段】フロントカバー２は、収納部側に液晶パネル５を挟持して保持する保持部材１８〜２１が立設している。保持部材１８〜２１は鉤部１８ａ〜２１ａが形成されている。保持部材１８，１９は、鉤部１８ａ，１９ａが上端部に形成されている。保持部材２０，２１は、鉤部２０ａ，２１ａが液晶パネルの厚さ方向で上端部２０ｂ，２１ｂとフロントカバー２との中間位置に形成されている。これらの鉤部１８ａ〜２１ａで液晶パネル５を保持し、上端部２０ｂ，２１ｂの外側面がリアカバー３に形成されている受部材２４〜２６に当接する。こうして液晶パネル５は筐体４内に保持される。【選択図】図２
2009134049.tif 000002
【特許請求の範囲】
【請求項１】
矩形状の液晶パネルを保持した第１のカバーに第２のカバーを取り付けることにより構成されている表示装置において、
前記第１のカバーは、前記液晶パネルの第１の側端部を保持する第１の保持部材と、当該第１の保持部材で前記第１の側端部を保持した状態で、前記第１の側端部に対向する第２の側端部を保持する第２の保持部材と、を有し、
前記第２のカバーは、前記第２の保持部材で前記第２の側端部を保持した状態で当該第２の保持部材の外側面に当接するリブを備えた、表示装置。
【請求項２】
前記第２の保持部材は、前記第２の側端部を係止することによって保持する鉤部と、当該鉤部の上部に伸びている被当接部とで構成され、
前記リブは、前記被当接部の外側面に当接する、請求項１に記載の表示装置。
【請求項３】
前記第２の保持部材は、その弾性力が前記第１の保持部材の弾性力よりも大きくなる形状に設定されている、請求項１または２に記載の表示装置。
【請求項４】
前記第１のカバーは、前記液晶パネルの前記第１の側端部及び前記第２の側端部以外の他の２つの側端部を保持する第３の保持部材を備えた、請求項１〜３の何れかに記載の表示装置。
【請求項５】
前記第１のカバーは、中央部が開口しているフロントカバーで構成される、請求項１〜４の何れかに記載の表示装置。
【発明の詳細な説明】
【技術分野】
【０００１】
本発明は、内部に液晶パネルを収納する、表示装置に関する。
【背景技術】
【０００２】
従来、ＰＮＤ（Personal NavigationDevice）等の表示装置は、フロントカバーに一体形成されたバネ性を有する複数のフック部材で液晶パネルを保持し、液晶パネルがフロントカバーから脱落してしまうことを防止している。
【０００３】
また、特許文献１では、係止部がパネルモジュールに形成され、被係止部がフロントキャビネットに形成され、係止部に被係止部を係止することでフロントキャビネットがパネルモジュールを保持し、フロントキャビネットからパネルモジュールが脱落することを防止した表示装置が開示されている。
【特許文献１】特開２００６−３３７９７６号公報
【発明の開示】
【発明が解決しようとする課題】
【０００４】
しかしながら、従来の表示装置では、液晶パネルを保持している全てのフック部材がバネ性を有しているため、外部からの衝撃（例えば、外部からの強い荷重や、装置が落下し着地したときの衝撃）が加わると、フック部材が撓んでしまい、液晶パネルがフロントキャビネットから脱落してしまう虞があった。
【０００５】
また、特許文献１で開示されている表示装置でも、外部から衝撃が加わると、係止部が撓んでしまい、フロントキャビネットからパネルモジュールが脱落してしまう虞があった。
【０００６】
本発明の目的は、上記問題に鑑み、外部から衝撃が加わっても、カバーから液晶パネルが脱落しにくい表示装置を提供することにある。
【課題を解決するための手段】
【０００７】
上記課題を解決するために、本発明は以下の通り構成される。
【０００８】
矩形状の液晶パネルを保持した第１のカバーに第２のカバーを取り付けることにより構成されており、第１のカバーは、液晶パネルの第１の側端部を保持する第１の保持部材と、第１の保持部材に第１の側端部を保持した状態で、第１の側端部に対向する第２の側端部を保持する第２の保持部材と、を有している。第２のカバーは、第２の保持部材で第２の側端部を保持した状態で第２の保持部材の外側面に当接するリブを備えている。
【０００９】
こうすることにより、第２のカバーが第１のカバーに取り付けられると、第２のカバーに形成されているリブが、液晶パネルを保持している弾性力を有した保持部材の外側面に当接するため、保持部材が固定される。したがって、外部からの衝撃が加わったとき、この保持部材が動くことが抑制され、液晶パネルが第１のカバーから脱落しにくくなる。
【発明の効果】
【００１０】
外部からの衝撃が加わった時、液晶パネルが第１のカバーから脱落しにくくなる。
【発明を実施するための最良の形態】
【００１１】
以下、本発明を詳細に説明していく。
【００１２】
図１は、本実施形態であるＰＮＤ（personalnavigation device）の外観図である。ＰＮＤ１は、樹脂等で形成されているフロントカバー２にリアカバー３が、取り付けられており、フロントカバー２及びリアカバー３が筐体４を構成している。収納部が筐体４の内部に設けられており、矩形状の液晶パネル５が、フロントカバー２に保持された状態で収納部に収納されている。なお、液晶パネル５の表示面前面にユーザが入力操作を行うためのタッチパネルを設けても良いし、筐体４にキー操作が行えるような操作キー等を設けても良い。また、本実施形態では、フロントカバーが第１のカバーに相当し、リアカバーが第２のカバーに相当する。
【００１３】
開口部６がフロントカバー２の前面中央部に形成されており、開口部６は筐体４に収納されている液晶パネル５の面積よりも若干小さい面積を持つ矩形状をしている。液晶パネル５の表示面が開口部６に配置されるように、液晶パネル５が筐体４の収納部に収納されている。フロントカバー２及びリアカバー３の形状の詳細は後述する。  以下、フロントカバー２及びリアカバー３の収納部側の形状について詳細に説明していく。
【００１４】
図２は、フロントカバー２の収納部側の外観図である。
【００１５】
なお、本実施形態では、開口部６が形成されている中央部は、フロントカバー２の上部側よりであるが、フロントカバー２の下部側よりであっても良い。
【００１６】
フロントカバー２は、液晶パネル５を筐体４内部に受け止めておく受部材１０〜１３が開口部６の周囲に形成されている。受部材１０は開口部６の上辺に、受部材１１は開口部６の下辺に、受部材１２は開口部６の左辺に、受部材１３は開口部６の右辺に其々形成されている。受部材１０〜１３は液晶パネル５が開口部６から脱落することを防止している。
【００１７】
また、フロントカバー２は、液晶パネル５の左右方向の位置決めを行なうリブ部材１４，１５が開口部６の左辺及び右辺に立設している。リブ部材１４は、受部材１２が形成されている開口部６の左辺側に、リブ部材１５は受部材１３が形成されている開口部６の右辺側に、其々立設している。リブ部材１４，１５は、開口部６の左辺及び右辺に立設している保持部材１６，１７をコの字状に囲んで立設している。
【００１８】
フロントカバー２は、開口部６の上辺に保持部材１８，１９が立設している。保持部材１８はリブ部材１４の端部に一体形成され、保持部材１９はリブ部材１５の端部に一体形成されている。保持部材１８の上端部は、鉤部１８ａが形成されている。また。保持部材１９の上端部は鉤部１９ａが形成されている。保持部材１８，１９は、弾性力がなくバネ性がない保持部材である。
【００１９】
なお、本実施形態では、保持部材１８，１９が第１の保持部材に相当し、保持部材１８，１９が保持する液晶パネル５の上辺が第１の側端部に相当する。
【００２０】
フロントカバー２は、開口部６の下辺に保持部材２０，２１が立設している。保持部材２０，２１はリブ部材１４，１５に一体形成されていない。保持部材２０は、上端部２０ｂとフロントカバー２との中間位置に鉤部２０ａが形成されている。また、保持部材２１は上端部２１ｂとフロントカバー２との中間位置に鉤部２１ａが形成されている。保持部材２０，２１は弾性力が保持部材１８，１９よりもありバネ性がある保持部材である。
【００２１】
保持部材１８〜２１が液晶パネル５の上辺及び下辺を挟持し、保持部材１８〜２１に形成されている鉤部１８ａ〜２１ａが液晶パネル５を係止することで、液晶パネル５はフロントカバー２に保持されている。
【００２２】
なお、本実施形態では、保持部材１８，１９が第２の保持部材に相当し、保持部材１８，１９が保持する液晶パネル５の下辺が第２の側端部に相当する。
【００２３】
フロントカバー２は、開口部６の左辺に保持部材１６が立設している。保持部材１６は上端部に鉤部１６ａが形成されている。保持部材１６は、保持部材１８，１９同様弾性力がなくバネ性がない保持部材である。フロントカバー２は、開口部６の右辺に保持部材１７が立設している。保持部材１７は上端部１７ｂとフロントカバー２との中間位置に鉤部１７ａが形成されている。保持部材１７は、保持部材１６よりも弾性力がありバネ性がある保持部材である。
【００２４】
なお、本実施形態における弾性力の違いは、形成されている保持部材の厚さの違いによるものであり、厚さが厚い保持部材は弾性力が弱く、厚さが薄い保持部材は弾性力が強い。
【００２５】
保持部材１６，１７が液晶パネル５の左辺及び右辺を挟持し、保持部材１６，１７に形成されている鉤部１６ａ，１７ａが液晶パネル５を係止することで、液晶パネル５はフロントカバー２に保持されている。
【００２６】
なお、本実施形態では、開口部６の上辺及び下辺に形成されている保持部材は同数であるが、保持部材の数が異なっていても良い。例えば、上辺が１つで下辺が２つでも良いし、上辺が３つで下辺が２つであっても良い。また、開口部６の上下左右の各辺に保持部材が形成されているが、上辺及び下辺、あるいは左辺及び右辺、の其々だけに保持部材が形成されていても良い。
【００２７】
また、本実施形態では、保持部材２０，２１の外側面が後述のリブ２４〜２６によって当接される被当接部に相当する。また、保持部材１６，１７が第３の保持部材に相当する。
【００２８】
図３は、リアカバー３の外観図である。
【００２９】
リアカバー３は、フロントカバー２に立設している弾性力がありバネ性がある保持部材２０，２１に対向する位置にリブ２４〜２６が形成されている。リブ２４，２５は、保持部材２０に対向する位置に形成されている。上端部２０ｂの外側面がリブ２４，２５に其々当接している。また、リブ２６は、保持部材２１に対向する位置に形成されている。このリブ２５も、リブ２４，２５と同様に保持部材２１の上端部２１ｂの外側面に当接する。
【００３０】
フロントカバー２及びリアカバー３が筐体４を構成しているとき、このリブ２４，２５に保持部材２０の上端部２０ｂが当接することによって、保持部材２０は固定される。また、リブ２６に保持部材２０の上端部２１ｂが当接することによって、保持部材２１は固定される。
【００３１】
このように、開口部６の下辺に形成されている弾性力がありバネ性がある保持部材２０，２１の上端部２０ｂ，２１ｂがリアカバー３に形成されているリブ２４〜２６に当接することにより固定されるので、外部からの衝撃が加わっても、液晶パネル５は保持されているので、脱落しにくくなる。
【００３２】
また、リアカバー３は、開口部６の右辺側に立設している保持部材１７に対向する位置にリブ２７，２８が形成されている。リブ２７，２８は、リブ２４，２５と同様の形状をしており、フロントカバー２に形成されている保持部材１７の上端部１７ｂの外側面が当接可能なように平面形状をしている。フロントカバー２及びリアカバー３が筐体４を構成しているとき、このリブ２７，２８に保持部材１７の上端部１７ｂが当接することによって、保持部材１７は固定される。
【００３３】
このように、開口部６の下辺に形成されている保持部材２０，２１に加え、開口部６の右辺に形成されている弾性力がありバネ性がある保持部材１７がリアカバー３に形成されているリブ２７，２８に当接することによって、より強固に固定されるので、外部からの衝撃が加わっても、液晶パネル５は保持されているので、より脱落しにくくなる。
【００３４】
なお、本実施形態では、開口部６の上辺側に弾性力がなくバネ性がない保持部材が立設し、開口部６の下辺側に弾性力がありバネ性がある保持部材が立設しているが、上辺側に弾性力がありバネ性がある保持部材が立設し、下辺側に弾性力がない保持部材が立設していても良い。また、開口部６の上辺及び下辺側に形成している保持部材がどちらとも弾性力がありバネ性があっても良い。このとき、弾性力がありバネ性がある保持部材は、上端部とフロントカバー２との中間位置に鉤部が形成されていれば良く、リアカバー３は、保持部材に対向する位置にリブが形成されていれば良い。
【００３５】
また、開口部６の左辺側に弾性力がなくバネ性がない保持部材が立設し、開口部６の右辺側に弾性力がありバネ性がある保持部材が立設しているが、左辺側に弾性力がありバネ性がある保持部材が立設し、右辺側に弾性力がない保持部材が立設していても良い。また、開口部６の左辺及び右辺側に形成している保持部材がどちらとも弾性力がありバネ性があっても良い。このとき、弾性力がありバネ性がある保持部材は、上端部とフロントカバー２との中間位置に鉤部が形成されていれば良く、リアカバー３は、保持部材に対向する位置に上端部の外側面が当接するリブが形成されていれば良い。
【００３６】
次に、液晶パネル５のフロントカバー２の取り付け方法について説明する。
【００３７】
液晶パネル５の左右両辺を、フロントカバー２に形成されているリブ部材１４，１５に沿わしながら挿入して取り付ける。このとき、液晶パネル５は、開口部６の上辺に形成されている弾性力がなくバネ性がない保持部材１８，１９に挿入し、開口部６の左辺に形成されている弾性力がなくバネ性がない保持部材１６に挿入する。次に、開口部６の右辺に形成されている弾性力がありバネ性がある保持部材１７、開口部６の下辺に形成されている弾性力がありバネ性がある保持部材２０，２１、を撓ませながら液晶パネル５を保持部材１６〜２１により保持する。そして、リアカバー３を取り付ける。リアカバー３が取り付けられると、保持部材の上端部１７ｂ，２０ｂ，２１ｂの外側面がリアカバー３に形成されているリブ２４〜２８に当接することで、保持部材のバネ性が抑制され、液晶パネル５は固定される。
【００３８】
図４は、フロントカバー２に液晶パネル５を取り付けた時の、フロントカバー２を取り付け側から見た正面図である。液晶パネル５は、保持部材１６〜２１に形成されている鉤部１６ａ〜２１ａにより係止され、１６〜２１により保持され、受部材１０〜１３が液晶パネル５の周囲を受け止め、リブ部材１４，１５が液晶パネル５の左右両辺を保持している。そのため、液晶パネル５は筐体４内に保持されている。液晶パネル５の裏面は、ＦＰＣ（Flexible printedcircuits）３０が開口部６の下辺側に貼着されている。
【００３９】
図５は、図４におけるＡＡ’断面の断面図である。図５では、切断面の断面表記を省略している。液晶パネル５は、開口部６の左辺及び右辺に立設している保持部材１６，１７に左右方向に挟持されている。
【００４０】
なお、本実施形態では、保持部材１６，１７の形成位置が対向する位置とは若干ずれているが、対向する位置に形成されていても良い。
【００４１】
開口部６の左辺側に立設している保持部材１６の上端部は、鉤部１６ａが形成されており、この鉤部１６ａが液晶パネル５を係止している。一方、開口部６の右辺側に立設している保持部材１７は、液晶パネル５の厚さ方向で、上端部１７ｂとフロントカバー２との中間位置に鉤部１７ａが形成されており、この鉤部１７ａが液晶パネルを係止している。鉤部１７ａは、保持部材１７の上端部１７ｂから液晶パネル５に対して下る傾斜形状である。
【００４２】
こうすることにより、保持部材１６，１７が液晶パネル５の左右方向を挟持し、鉤部１６ａ，１７ａが液晶パネル５を係止し、受部材１２，１３が液晶パネル５の周囲を支持することにより、液晶パネル５は左右方向に保持される。
【００４３】
図６は、図４におけるＢＢ’断面の断面図である。図６では、切断面の断面表記を省略している。図７は保持部材１９付近を拡大した部分拡大図であり、図８は保持部材２１付近を拡大した部分拡大図である。
【００４４】
液晶パネル５は、開口部６の左辺側の上辺及び下辺に立設している保持部材１９，２１により上下方向に挟持されている。開口部６の上辺側に立設している保持部材１９の上端部は鉤部１９ａが形成されており、この鉤部１９ａが液晶パネル５を係止している。一方、開口部６の下辺側に立設している保持部材２１は上端部２１ｂとフロントカバー２との中間位置に鉤部２１ａが形成されており、この鉤部２１ａが液晶パネル５を係止している。鉤部２１ａは、保持部材２１の上端部から液晶パネル５に対して下る傾斜形状である。
【００４５】
図９は、図４におけるＣＣ’断面の断面図である。図９では、切断面の断面表記を省略している。図１０は、保持部材１８付近を拡大した部分拡大図であり、図１１は保持部材２０付近を拡大した部分拡大図である。
【００４６】
液晶パネル５は、開口部６の右辺側の上辺及び下辺に立設している保持部材１８，２０により上下方向に挟持されている。開口部６の上辺側に立設している保持部材１８の上端部は鉤部１８ａが形成されており、この鉤部１８ａが液晶パネル５を係止している。一方、開口部６の下辺側に立設している保持部材２０は上端部２０ｂとフロントカバー２との中間位置に鉤部２０ａが形成されており、この鉤部２０ａが液晶パネル５を係止している。鉤部２０ａは、保持部材２１の上端部か２０ｂから液晶パネル５に対して下る傾斜形状である。
【００４７】
こうすることにより、液晶パネル５は、上下方向を保持部材１８〜２１により挟持され、左右方向を保持部材１６，１７により挟持され、保持部材１６〜２１に形成されている鉤部１６ａ〜２１aにより係止され、受部材１０〜１３により支持される。そのため、液晶パネルが上下左右方向に動くことが抑制されている。
【００４８】
次に、リアカバー３を取り付けた時の状態について説明する。
【００４９】
図１２は、フロントカバー２及びリアカバー３で筐体４を構成し、内部に液晶パネル５を収納している時の平面図である。
【００５０】
図１３は、図１２におけるAA’断面の断面図である。図１３では、切断面の断面表記を省略している。
【００５１】
フロントカバー２の開口部６の左辺及び右辺に立設している保持部材１６，１７のうち、鉤部が上端部とフロントカバー２との中間位置に形成されている保持部材１７は、上端部１７ｂの外側面がリアカバー３に形成されているリブ２７，２８に当接している。リブ２７，２８に上端部１７ｂの外側面が当接することによって、上端部１７ｂがリアカバー３により支持され、保持部材１７は固定される。そのため、保持部材１６，１７がともに固定されている状態になるため、外部から衝撃が加わっても、液晶パネル５の動きが抑制され、液晶パネル５がフロントカバー２から脱落しにくくなる。
【００５２】
図１４は、図１２におけるＢＢ’断面の断面図である。図１４では、切断面の断面表記を省略している。また、図１５は、保持部材２１付近の部分拡大図である。
【００５３】
フロントカバー２の開口部６の上辺及び下辺に立設している保持部材１９，２１のうち、鉤部が上端部とフロントカバー２との中間位置に形成されている保持部材２１は、上端部２１ｂの外側面がリアカバー３に形成されているリブ２４，２５に当接する。このリブ２４，２５に上端部２１ｂの外側面が当接することによって、上端部２１ｂがリアカバー３により支持されている状態になるため、外部から衝撃が加わっても、液晶パネル５の動きが抑制され、液晶パネル５がフロントカバー２から脱落しにくくなる。
【００５４】
図１６は、図１２におけるＣＣ’断面の断面図である。図１６では、切断面の断面表記を省略している。また、図１７は、保持部材２０付近の部分拡大図である。
【００５５】
フロントカバー２の開口部６の上辺及び下辺に立設している保持部材１８，２０のうち、鉤部が上端部とフロントカバー２との中間位置に形成されている保持部材２０は、上端部２０ｂの外側面がリアカバー３に形成されているリブ２６に当接している。このリブ２６に上端部２０ｂの外側面がことによって、上端部２０ｂがリアカバー３により支持されている状態になるため、外部から衝撃が加わっても、液晶パネル５の動きが抑制され、液晶パネル５がフロントカバー２から脱落しにくくなる。
【００５６】
こうすることにより、液晶パネル５を保持している保持部材１６〜２１のうち弾性力がありバネ性を有した保持部材１７，２０，２１はリアカバー３により上端部１７ｂ，２０ｂ，２１ｂが支持され、固定されるため、外部からの衝撃が加わっても、液晶パネル５は、フロントカバー２から脱落しにくくなる。
【００５７】
なお、本実施形態では、ＰＮＤを例にしているが、それ以外の表示装置（例えば、液晶テレビ、有機ＥＬテレビ、プラズマテレビ、カーナビゲーションシステム）といったものにも適用することができる。また、保持部材１６〜２１がフロントカバー２に立設しているが、フロントカバー２に立設するのではなく、リアカバー３に立設していても良い。この場合、フロントカバー２にリブを形成すればよい。また、上端部及びリブの形状は、上端部がリブに当接する形状で有るなら適宜変更可能である。
【図面の簡単な説明】
【００５８】
【図１】本実施形態であるＰＮＤの外観図である。
【図２】フロントカバーの外観図である。
【図３】リアカバーの外観図である。
【図４】フロントカバーに液晶パネルを取り付けたときのフロントカバーの正面図である。
【図５】フロントカバーのＡＡ’断面における断面図である。
【図６】フロントカバーのＢＢ’断面における断面図である。
【図７】フロントカバーのＢＢ’断面における部分拡大図である。
【図８】フロントカバーのＢＢ’断面における部分拡大図である。
【図９】フロントカバーのＣＣ’断面における断面図である。
【図１０】フロントカバーのＣＣ’断面における部分拡大図である。
【図１１】フロントカバーのＣＣ’断面における部分拡大図である。
【図１２】液晶パネルを収納したときの筐体の正面図である。
【図１３】筐体のＡＡ’断面における断面図である。
【図１４】筐体のＢＢ’断面における断面図である。
【図１５】筐体のＢＢ’断面における部分拡大図である。
【図１６】筐体のＣＣ’断面における断面図である。
【図１７】筐体のＣＣ’断面における部分拡大図である。
【符号の説明】
【００５９】
１…ＰＮＤ
２…フロントカバー
３…リアカバー
４…筐体
５…液晶パネル
６…開口部
１０〜１３…受部材
１４，１５…リブ部材
１６〜２１…保持部材
１６ａ〜２１ａ…鉤部
１７ｂ，２０ｂ，２１ｂ…上端部
２４〜２８…リブ
３０…ＦＰＣ
【図１】
2009134049.tif 000003
【図２】
2009134049.tif 000004
【図３】
2009134049.tif 000005
【図４】
2009134049.tif 000006
【図５】
2009134049.tif 000007
【図６】
2009134049.tif 000008
【図７】
2009134049.tif 000009
【図８】
2009134049.tif 000010
【図９】
2009134049.tif 000011
【図１０】
2009134049.tif 000012
【図１１】
2009134049.tif 000013
【図１２】
2009134049.tif 000014
【図１３】
2009134049.tif 000015
【図１４】
2009134049.tif 000016
【図１５】
2009134049.tif 000017
【図１６】
2009134049.tif 000018
【図１７】
2009134049.tif 000019